(57)【要約】【課題】  ギアケースとハウジングの間隙から生じるがたつきを解消するインパクトドライバの提供。【解決手段】  モータ３を内蔵するハウジング２と、ハウジング２の前方に位置するギアケース５と、ギアケース５の後端内部に内接して収納されるインナーケース４と、ベアリング１１によってインナーケース４に回転自在に保持されるカムシャフト１０と、インナーケース４に内蔵された遊星歯車機構と、カムシャフト１０にボール１２を介して連結されたハンマー７と、ハンマー７と噛合するビットホルダー６と、を有するインパクトドライバ１において、ギアケース５はハウジング２に進退不能に係止されると共に、インナーケース４に回転不能に係止され、インナーケース４はハウジング２内部に回転不能に固定される構成とする。【選択図】図１
2011245605.tif 000002
【特許請求の範囲】
【請求項１】
モータを内蔵するハウジングと、該ハウジングの前方に位置するギアケースと、該ギアケースの後端内部に内接して収納されるインナーケースと、ベアリングによって該インナーケースに回転自在に保持されるカムシャフトと、該インナーケースに内蔵された遊星歯車機構と、該カムシャフトにボールを介して連結されたハンマーと、該ハンマーと噛合するビットホルダーと、を有するインパクトドライバにおいて、該ギアケースは該ハウジングに進退不能に係止されると共に、該インナーケースに回転不能に係止され、該インナーケースは該ハウジング内部に回転不能に固定されることを特徴とするインパクトドライバ。
【発明の詳細な説明】
【技術分野】
【０００１】
本発明は、モータを内蔵するハウジングの前方に打撃機構を内蔵するギアケースを組み付けてなるインパクトドライバに関する。
【背景技術】
【０００２】
特許文献１は、モータを内蔵するハウジングの前端と打撃機構を内蔵するハンマーケース（以下ギアケースという）の後端に螺合可能なネジ部をそれぞれ設け、ギアケースをハウジングへ結合可能とする一方、ギアケースの回動を防止するための回り止め機構を設けたことを特徴とするものであり、このように構成することにより、ハウジングとギアケースの取付部がハウジング及びギアケースの外周から突出することを防止していた。
【先行技術文献】
【特許文献】
【０００３】
【特許文献１】特開２００３−１４５４３９号公報
【発明の概要】
【発明が解決しようとする課題】
【０００４】
しかし、上記従来のインパクトドライバにおいては、ギアケースをハウジングに螺入する構成であるので、組立性を良くするために、螺入部の雄ネジと雌ネジとの間に間隙を確保する必要があり、長期間の使用により当該間隙ががたつき発生の原因になるという課題があった。本発明は、上記の課題を解決するものである。
【課題を解決するための手段】
【０００５】
上記課題を解決するために、モータを内蔵するハウジングと、該ハウジングの前方に位置するギアケースと、該ギアケースの後端内部に内接して収納されるインナーケースと、ベアリングによって該インナーケースに回転自在に保持されるカムシャフトと、該インナーケースに内蔵された遊星歯車機構と、該カムシャフトにボールを介して連結されたハンマーと、該ハンマーと噛合するビットホルダーと、を有するインパクトドライバにおいて、該ギアケースは該ハウジングに進退不能に係止されると共に、該インナーケースに回転不能に係止され、該インナーケースは該ハウジング内部に回転不能に固定される構成とする。
【発明の効果】
【０００６】
本発明によれば、ギアケースとハウジングとを螺入により固定する構造ではないことから、長期の使用に際してもがたつきが発生することがないという効果がある。
【図面の簡単な説明】
【０００７】
【図１】本発明に係るインパクトドライバの要部縦断側面図である。
【図２】図１におけるＦ−Ｆ矢視断面図である。
【図３】図１におけるＥ−Ｅ矢視断面図である。
【図４】図３におけるＧ−Ｇ矢視断面図である。
【発明を実施するための形態】
【０００８】
以下、本発明を実施するための好適な実施形態について、図面に基づいて説明する。
【０００９】
図１は本発明に係るインパクトドライバ１の要部縦断側面図であり、通常樹脂で成形された左右一対の半割りハウジング部材（２ａ，２ｂ）を重ね合わせて組み立てたハウジング２の中に駆動源であるモータ３を内蔵している。モータ３の前方（図１の右側）には、インナーケース４（ハッチング表示）、ギアケース５が位置している。ギアケース５は金属製で後方を大きく開口した釣鐘状を呈し、後端内部にインナーケース４が内接して収納され、インナーケース４はモータ３の前方段部３ａにて同軸に保持されている。１４はプレス部品であり、モータ３をハウジング２内部に係止するために不図示のネジでモータ３に固定され、インナーケース４はプレス部品１４を介してモータ３の前面によって後退不能に規制される。
【００１０】
インナーケース４はベアリング１１を介してカムシャフト１０の後端を回転自在に保持し、前方突出部の内周にインターナルギア４ａが固着されている。遊星歯車機構は、インターナルギア４ａに噛合しカムシャフト１０のつば部に保持される複数の遊星歯車９ａと、モータ３の回転軸に取り付けられた太陽歯車９ｂから構成され、モータ３の回転駆動力を減速してカムシャフト１０に伝達する。カムシャフト１０の前端はギアケース５に軸支されるビットホルダー（アンビルともいう）６に同軸で遊挿され、その前方部位には、コイルバネ８によって前方に付勢されビットホルダー６の後面と係合可能なハンマー７が、ボール１２を介して連結されている。これは従来よく知られているインパクトドライバ等における打撃発生部を構成するものであり、ビットホルダー６にかかる負荷（トルク）が所定値以下の場合、カムシャフト１０が回転すると、ボール１２を介してハンマー７も回転し、ハンマー７が噛合するビットホルダー６を回転させる。ビットホルダー６にかかる負荷（トルク）が所定値を超えると、ハンマー７がコイルバネ８の付勢に抗して、カムシャフト１０のカム溝に沿って後退する。ハンマー７が後退しビットホルダー６との噛合が解除されると、再びコイルバネ８の付勢によってカムシャフト１０と共に回転しながら前進し、ビットホルダー６と噛合する。こうしてハンマー７が前進と後退を繰り返してビットホルダー６との噛合および噛合解除をすることで、ビットホルダー６に間欠的な回転方向の打撃を加えることになる。
【００１１】
ベアリング１１はカムシャフト１０を保持するとともに、その側面はワッシャ１５を介してカムシャフト１０の遊星歯車９ａを保持するつば部の後端面に当接するので、インナーケース４は前進不能に規制される。
【００１２】
一方、ハウジング２のハンドル２ｃには、モータ３へ駆動電力を供給する不図示の電池パックを取り付けるコネクター２ｄが下端に設けられ、ハンドル２ｃを手で握り締めたとき指で操作できるトリガースイッチ２ｅが設けられている。トリガースイッチ２ｅをオンすることにより電池パックの電力がモータ３へ供給されてモータ３は回転を開始する。
【００１３】
図２に示すように、インナーケース４の後端は四角形に形成され、ハウジング２を構成する半割りハウジング部材（２ａ，２ｂ）によって上下方向は直接、左右方向は緩衝ゴム１３，１３を介して回転不能にその内部で固定される。ここに緩衝ゴム１３，１３を設けることにより、打撃による振動が緩和されてハンドル２ｃへ伝播されるので、作業者の負担が軽減され操作性が向上する。
【００１４】
図３に示すように、インナーケース４の凸部４ｂ，４ｂはギアケース５の凹部５ａ，５ａに係合している。これにより、ギアケース５はインナーケース４に回転不能に係止される。
【００１５】
図４は、ギアケース５の後端外周に設けられた凸部５ｂがハウジング２の凹部２ｆに係合している構成を表しており、この係合によりギアケース５はハウジング２に進退不能に係止される。本実施形態においては、凸部５ｂはギアケース５の後端外周の全周に設けられているのではなく適宜必要箇所に設けられ、凹部２ｆも同様に構成されている。
【００１６】
以上のように構成されたインパクトドライバ１によれば、インナーケース４は、半割りハウジング部材（２ａ，２ｂ）によってハウジング２内部に回転不能に固定され、インナーケース４の後退はプレス部品１４を介してモータ３の前面で規制され、インナーケース４の前進はギアケース５内部の部品（後方から前方にかけて、ベアリング１１、ワッシャ１５、カムシャフト１０、ビットホルダー６、ワッシャ１６）によって規制される。また、ギアケース５はインナーケース４の外周に設けられた凸部４ｂ，４ｂとギアケース５に設けられた凹部５ａ，５ａによって回転不能に係止され、ギアケース５の後端外周に設けられた凸部５ｂがハウジング２の凹部２ｆに係合して、ギアケース５はハウジング２に進退不能に係止される。
【００１７】
しかして、作業者がハンドル２ｃを握りトリガースイッチ２ｅをオンすることにより、電池パックの電力がモータ３へ供給されてモータ３は回転を開始するので、ネジ締め等の作業が開始され、ビットホルダー６に所定値以上の負荷（トルク）がかかるとハンマー７によってビットホルダー６に打撃が繰り返し加えられ衝撃的な回転駆動力が不図示のビットに伝達されるが、上記のように構成されたインパクトドライバ１であれば、大きな荷重に耐えることができ、効率的にネジ等を締めることができる。
【００１８】
本発明によるインパクトドライバは、上述した実施の形態に限定されず、特許請求の範囲に記載した範囲で種々の変形や改良が可能である。
【符号の説明】
【００１９】
１  インパクトドライバ、２  ハウジング、３  モータ、４  インナーケース、５  ギアケース、６  ビットホルダー、７  ハンマー、８  コイルバネ、９ａ  遊星歯車、１０  カムシャフト、１１  ベアリング、１２  ボール
【図１】
2011245605.tif 000003
【図２】
2011245605.tif 000004
【図３】
2011245605.tif 000005
【図４】
2011245605.tif 000006